(57)【要約】      （修正有）【課題】単純な構成で簡単にフレームのロック／アンロックが可能な組立フレームおよび組立式カーテンを提供する。【解決手段】床面に載置される脚部から立設された保持部４６と、前記保持部４６の端部と軸部４８で回転可能に連結された縦フレーム２０と、前記縦フレーム２０に沿って移動可能に装着され、前記軸部４８に被る位置で前記保持部４６に前記縦フレーム２０を保持させる筒状部材５０と、を有する組立フレームを備えた組立式カーテン１０。【選択図】図１
2015062497.tif 000002
【特許請求の範囲】
【請求項１】
床面に載置される台座から立設された支持体と、
前記支持体の端部と軸材で回転可能に連結された柱体と、
前記柱体に沿って移動可能に装着され、前記軸体に被る位置で前記支持体に前記柱体を保持させる筒体と、
を有する組立フレーム。
【請求項２】
前記支持体の端部は、軸方向に沿った第１立面部と、前記第１立面部と直交する第１受け面部と、前記第１立面部の端部に形成された第１曲面部と、を備え、
前記柱体の端部は、軸方向に沿った第２立面部と、前記第２立面部と直交する第２受け面部と、前記第２立面部の端部に形成された第２曲面部と、を備え、
前記軸体は、前記第１立面部と前記第２立面部とを対面させ、前記支持体へ前記柱体を回転可能に連結し、前記第１受け面部に前記第２曲面部を支持させ、前記第１曲面部に前記第２受け面部を支持させるピンで構成されている請求項１に記載の組立フレーム。
【請求項３】
前記筒体は円筒形のパイプであり、
前記パイプの長手方向中央側から一の開口部へ向かって内径が拡径されている請求項１または請求項２に記載の組立フレーム。
【請求項４】
請求項１〜３の何れか１項に記載の組立フレームの柱体の上端部に棒材を架設し、
前記棒材にカーテンを掛けた組立式カーテン。
【発明の詳細な説明】
【技術分野】
【０００１】
本発明は組立フレームおよび組立式カーテンに関する。
【背景技術】
【０００２】
例えば医療検査を行う場合には医療検査専用の施設であっても多様な目的（検査種目など）に応じて部屋の広さや数をフレキシブルに変更する必要がある。
【０００３】
施設の限られたスペースにおいて、用途に応じて部屋の広さや数をフレキシブルに変更できる機能を備えたものとしては、組立式カーテン（パーティション）が存在し、主に室内床面に自立させて空間を隔てるための道具として用いられている。例えば、病院や診療所では、布製のシート部材をパイプフレームの上下に張った形式の組立式カーテンが広く用いられている（例えば、特許文献１参照）。さらに土台から立設されるフレームを可倒式として収納を容易にした構造が開示されている（例えば、特許文献２参照）。
【先行技術文献】
【特許文献】
【０００４】
【特許文献１】特開２００７−１１２６８７３号公報
【特許文献２】実願２０００−５３５３号公報
【発明の開示】
【発明が解決しようとする課題】
【０００５】
しかし従来の組立式カーテンは、例えば折り畳み式であったとしても、屏風のように板状に畳む構成が一般的であった。折り畳み式の構成としては、土台となる部分からフレーム部分を立てた状態で固定するには特許文献２のようにストッパを操作し、何らかのロック機構を解除することで折り畳み可能な状態とされる構造であった。
【０００６】
この構造では土台の位置が床に近いため、ストッパがロックされていることを確認するには使用者が立ったままでは難しく、且つ手で直接ストッパを操作するのは医療用のカーテンである場合は特に衛生上の問題が生じる虞がある。
【０００７】
本発明は上記事実を考慮し、単純な構成で簡単にフレームのロック／アンロックが可能な組立フレームおよび組立式カーテンを提供することを目的とする。
【課題を解決するための手段】
【０００８】
請求項１に記載の組立フレームは、床面に載置される台座から立設された支持体と、前記支持体の端部と軸材で回転可能に連結された柱体と、前記柱体に沿って移動可能に装着され、前記軸体に被る位置で前記支持体に前記柱体を保持させる筒体と、を有することを特徴とする。
【０００９】
上記構成の発明では、筒状部材がフレームの軸部に被ると、フレームは直線状となるため、筒状部材をフレーム上で移動させることで、フレームが軸部で折り曲げられた状態から直線状に延ばされた状態に容易に固定、あるいは固定解除することができる。
【００１０】
請求項２に記載の組立フレームは、請求項１に記載の構成において、前記支持体の端部は、軸方向に沿った第１立面部と、前記第１立面部と直交する第１受け面部と、前記第１立面部の端部に形成された第１曲面部と、を備え、前記柱体の端部は、軸方向に沿った第２立面部と、前記第２立面部と直交する第２受け面部と、前記第２立面部の端部に形成された第２曲面部と、を備え、前記軸体は、前記第１立面部と前記第２立面部とを対面させ、前記支持体へ前記柱体を回転可能に連結し、前記第１受け面部に前記第２曲面部を支持させ、前記第１曲面部に前記第２受け面部を支持させるピンで構成されていることを特徴とする。
【００１１】
上記構成の発明では、第１/第２立面部同士を対向するようにピンで固定する際、第１受け面部が第２曲面部を支持し、柱体の重量を一部受け止める構成とすることで、軸部のピンだけに柱体の重量が集中することを防ぎ、ピンの破損や変形を防ぐことができる。
【００１２】
請求項３に記載の組立式カーテンは、請求項１または請求項２に記載の構成において、前記筒体は円筒形のパイプであり、前記パイプの長手方向中央側から一の開口部へ向かって内径が拡径されていることを特徴とする。
【００１３】
上記構成の発明では、筒状部材の内径が先端ほど大きくなるので、引っ掛かりなくスムーズにロック／アンロックを切り替えることができる。
【００１４】
請求項４に記載の組立式カーテンは、請求項１〜３の何れか１項に記載の組立フレームの柱体の上端部に棒材を架設し、前記棒材にカーテンを掛けたことを特徴とする。
【００１５】
上記構成の発明では、筒状部材がフレームの軸部に被ると、フレームは直線状となるため、筒状部材をフレーム上で移動させることで、フレームが軸部で折り曲げられた状態から直線状に延ばされた状態に容易に固定、あるいは固定解除することができる。
【発明の効果】
【００１６】
本発明は上記構成としたので、単純な構成で簡単にフレームのロック／アンロックが可能な組立フレームおよび組立式カーテンとすることができた。
【図面の簡単な説明】
【００１７】
【図１】本発明の実施形態に係る組立式カーテンを示す斜視図である。
【図２】図１に示す組立式カーテンの一部を拡大して示す斜視図である。
【図３】（Ａ）は図１に示す組立式カーテンの展開時の脚部を拡大して示す斜視図であり、（Ｂ）は組立式カーテンの収納時の脚部を拡大して示す斜視図である。
【図４】（Ａ）は図１に示す組立式カーテンの筒状部材の構造を示す断面図であり、（Ｂ）は軸部周辺を軸部と垂直方向から拡大して示す側面図であり、（Ｃ）は軸部周辺を軸方向から拡大して示す側面図である。
【発明を実施するための形態】
【００１８】
＜装置概要＞
【００１９】
図１には本発明の実施形態に係る組立式カーテンが示されている。
【００２０】
図１に示すように、組立式カーテン１０は床と略水平に張り渡された横フレーム１２の長手方向両端を、一対の縦フレーム２０で支持して組立フレーム１１を構成し、横フレーム１２にシート部１８がマジックテープ（登録商標）などで吊り下げられた構造とされている。
【００２１】
縦フレーム２０は略円柱形状で脚部４０にて床から立設されており、先端には小径部２６が設けられている。横フレーム１２の両端に穿孔された取付穴１６に小径部２６が挿通され、横フレーム１２を支持している。
【００２２】
横フレーム１２の先端は薄肉部１４とされており、取付穴１６の貫通方向に厚さが薄く形成され、縦フレーム２０の小径部２６には複数の横フレーム１２の薄肉部１４が挿通可能とされている。
【００２３】
薄肉部１４が形成される横フレーム１２の先端は略砲弾型の流線型とされており、先端近傍には尖った角のない形状とされている。また薄肉部１４の厚さ（取付穴１６の貫通方向寸法）は横フレーム１２の半径以下とされている。このため２本の横フレームを図２に示すように薄肉部１４同士を互い違いに重ね、取付穴１６に小径部２６を挿通させれば２本の横フレーム１２は床面からの高さが略同等となる。
【００２４】
縦フレーム２０は床上に設置される脚部４０にて、床面から直立するように保持されており、脚部４０は縦フレーム２０の床上における位置決めを行うと同時に直立状態を維持する。例えば脚部４０は床上に配置された足部材４４と、これと直交するように配置された基台４２とを組み合わせることで、床上において種々の方向への縦フレーム２０の転倒を防ぐ構造とされている。
【００２５】
縦フレーム２０は脚部４０から立設された保持部４６に、床と平行に設けられた軸部４８によって、軸部４８のまわりに回転自在に保持されている。これにより収納時には縦フレーム２０は脚部４０と略平行な角度まで倒され、また展開時には床面から直立する角度で保持可能な構造とされている。また縦フレーム２０（あるいは後述する外パイプ２２）の外側には軸方向にスライド移動可能な丸パイプ形状の筒状部材５０が嵌め込まれており、筒状部材５０の軸方向長さは保持部材４６よりも長く、縦フレーム２０（外パイプ２２）の一部をカバーしながら保持部材４６を全長にわたってカバーする構成とされている。
【００２６】
＜各部分の詳細＞
【００２７】
図２〜図４には本発明の実施形態に係る組立式カーテンの一部が示されている。
【００２８】
図２に示すように、横フレーム１２の先端は薄肉部１４とされており、取付穴１６が設けられている。取付穴１６は縦フレーム２０の小径部２６が挿通可能な大きさとされており、図２のように小径部２６を取付穴１６に挿通させることで横フレーム１２を水平方向に位置決めする。
【００２９】
また薄肉部１４は小径部２６の長さに比較して十分に薄いので、図２に示すように複数の横フレーム１２を一本の縦フレーム２０に取付け可能とされている。また、小径部２６の長さが十分であるため、特に上下方向のストッパや固定部材を用いずとも横フレーム１２が小径部２６から外れる虞はない。
【００３０】
また小径部２６の外周面には溝２６Ａが周方向に刻まれており、取付穴１６に挿入された際、取付穴１６の内周面との間で摩擦抵抗を増加させ、横フレーム１２に上下方向の力が外から加わった際に小径部２６から薄肉部１４が外れにくい構成とされている。
【００３１】
さらに小径部２６の先端には折りたたみ可能なストッパ２７が設けられている。小径部２６が取付穴１６に挿入された後、ストッパ２７を何れかの方向に畳むことによって、横フレーム１２に上下方向の力が外から加わった際に小径部２６から薄肉部１４が外れにくい構成とされている。
【００３２】
図１に示すように、縦フレーム２０は径の大きい外パイプ２２に、径の小さい内パイプ２４が挿入された二重構造とされていてもよく、収納時には内パイプ２４を外パイプ２２に挿入して全長を短く抑え、展開時には内パイプ２４を外パイプ２２から引き出して全長を長くする構成とされている。
【００３３】
内パイプ２４からはストッパ２８が径方向外側に突出している。ストッパ２８は外パイプ２２の内径よりも外側に突出するように径方向外側へ図示しないバネで付勢されている。組立式カーテン１０の展開時に内パイプ２４を引き出すと、ストッパ２８が径方向外側へ突出し、外パイプ２２の端面や、予め設けられた図示しない係合部に引っ掛かるため、これより内パイプ２４は外パイプ２２内へ戻らず、この引出長さで保持される。
【００３４】
＜脚部＞
【００３５】
図３、４には本実施形態に係る組立式カーテン１０の脚部４０に設けられた軸部４８、保持部４６近傍の構造が示されている。
【００３６】
図４（Ｂ）（Ｃ）に示すように、保持部４６の外パイプ２２と対向する面は軸部４８と平行な第１受け面部４６Ａとされ、これと直交する第１立面部４６Ｂが外パイプ２２と直接接触し、軸部４８によって互いに所定の摩擦をもってネジ止めされている。このとき第１受け面部４６は略半球形に成形された外パイプ２２の先端（下端）である第２曲面部２２Ｃと接触する。一方、保持部４６の先端（上端）は略半球形に成形され、第１曲面部４６Ｃとして外パイプ２２の第２受け面部２２Ａと接触する。
【００３７】
これにより第１立面部４６Ｂ、第２立面部２２Ｂを対向するように軸部４８で固定する際、第１受け面部４６Ａが第２曲面部２２Ｃを支持し、縦フレーム２０、横フレーム１２およびシート部１８の重量を一部受け止める構成とすることで、軸部４８だけに重量が集中することを防ぎ、軸部４８の破損や変形を防ぐことができる。
【００３８】
組立フレーム１１は軸部４８と保持部４６を同時にカバーする筒状部材５０によって、保持部４６に対して縦フレーム２０を直立状態に維持する構造とされている。筒状部材５０は保持部材４６と縦フレーム２０とが直線状態（直立状態）とされたとき、最下端である端部５０Ａが基台４２に当接するまでスライド移動可能とされる。
【００３９】
図３（Ａ）に示すように筒状部材５０の端部５０Ａが基台４２に当接する状態では、筒状部材５０は最も下側（脚部４０に近い）位置にスライドした状態であり、組立式カーテン１０が展開されているときはこの位置に筒状部材５０が置かれ、保持部４６と軸部４８、および縦フレーム２０（外パイプ２２）の最下部までをカバーした状態で維持される。
【００４０】
一方、組立式カーテン１０を収納する際には図３（Ｂ）に示すように縦フレーム２０（外パイプ２２）を軸部４８まわりに回転させる。矢印ａのように筒状部材５０を引き上げ、筒状部材５０の端部５０Ａが軸部４８よりも上に位置する状態であれば、軸部４８まわりに縦フレーム２０（外パイプ２２）を回転させることができる、
【００４１】
逆に組立式カーテン１０を収納状態から展開するときは、図３（Ｂ）に示すように筒状部材５０を持ち上げた状態から縦フレーム２０（外パイプ２２）を保持部４６に対して垂直に伸ばし、筒状部材５０を基台４２に当接するまで移動させる。これにより縦フレーム２０（外パイプ２２）の、軸部４８まわりの回転を規制し、直立状態に維持することができる。
【００４２】
また図４（Ａ）〜（Ｃ）に示すように筒状部材５０は単純な丸パイプ状の構造ではなく、端部５０Ａへ向けて肉厚が薄くなる構造であり、長手方向について外径は一定だが、内径は先端ほど拡大している。
【００４３】
＜作用効果＞
【００４４】
本発明は上記構成としたので、以下のような優れた効果を有する。
【００４５】
すなわち、図４（Ａ）〜（Ｃ）に示すように筒状部材５０は、外径は長手方向について一定だが、内径は端部５０Ａに向けて拡大する構造とされている。すなわち図４（Ａ）に断面で示すように、丸パイプ状の筒状部材５０の肉厚は端部５０Ａへ近づくほど薄くなる構造とされている。
【００４６】
このため筒状部材５０を降ろす際に端部５０Ａが縦フレーム２０、軸部４８、保持部４６に引っ掛かりにくく、また正確に縦フレーム２０と保持部４６とが一直線上になくとも、内径が拡大した端部５０Ａによって規正しながら筒状部材５０を降ろすことができるので、組立式カーテン１０を展開状態とする際に作業が容易となる。
【００４７】
また筒状部材５０は縦フレーム２０（外パイプ２２）にはまった丸パイプ状の部材であり、縦フレーム２０の長手方向に移動可能とされているが、筒状部材５０の内周面と縦フレーム２０の外周面との間には若干の間隙があり、スムーズに移動可能とされている。このとき縦フレーム２０の外周面にホコリ、ゴミ等の付着があっても、筒状部材５０の内径が端部５０側で拡大しているため引っ掛かりにくく、作業が容易となる。
【００４８】
＜その他＞
【００４９】
以上、本発明の実施例について記述したが、本発明は上記の実施例に何ら限定されるものではなく、本発明の要旨を逸脱しない範囲において種々なる態様で実施し得ることは言うまでもない。
【００５０】
すなわち本実施形態では横フレーム１２にシート部１８を取り付けた組立式カーテンとしたが、例えば軸部４８まわりに折り曲げ可能な何らかの棒状部材を、直線状に固定して使用する構造であれば本願発明の筒状部材５０の構造を応用することができる。
【符号の説明】
【００５１】
１０ 組立式カーテン
１１ 組立フレーム
１２ 横フレーム（棒材）
１８ シート部（カーテン）
２０ 縦フレーム（柱体）
４０ 脚部（台座）
４６保持部（支持体）
４８ 軸部（軸体）
５０ 筒状部材（筒体）
【図１】
2015062497.tif 000003
【図２】
2015062497.tif 000004
【図３】
2015062497.tif 000005
【図４】
2015062497.tif 000006